(57)【特許請求の範囲】
【請求項１】
コンテンツを再生する再生手段と、
複数のコンテンツを、その属性情報により分類したコンテンツの階層構造と、該階層構造内の位置を指示する指示手段と、を表示部に表示させる制御手段と、
前記表示部に表示されている前記指示手段を移動させるための指示手段移動キーと、
前記指示手段の示すコンテンツを前記再生手段で再生させるための再生キーと、
停止キーと、
を備える再生装置において、
前記制御手段は、
前記指示手段移動キーの操作に応答して、前記表示部に表示されている階層構造内で前記指示手段を移動させて、
前記再生キーの操作に応答して、前記指示手段の位置に対応するコンテンツを前記再生手段で再生させて、
前記停止キーの操作に応答して、前記再生手段がコンテンツを再生している場合は再生動作を停止させるとともに、
前記再生動作の停止を行った前記停止キーの操作が所定の条件を満たす場合には前記指示手段を前記再生動作を停止したコンテンツより上位階層に移動させる、
ことを特徴とする再生装置。
【請求項２】
前記所定の条件は、前記停止キーが所定時間以上連続して押下されたこと、であることを特徴とする請求項１に記載の再生装置。
【請求項３】
前記所定の条件は、前記停止キーが所定時間内に所定回数連続して押下されたこと、であることを特徴とする請求項１に記載の再生装置。
【請求項４】
前記停止キーは、多段階の状態をもつキーであって、
前記所定の条件は、前記停止キーが１段階押下された状態から更に１段階押下された状態になったこと、であることを特徴とする請求項１に記載の再生装置。
【請求項５】
移動先の階層を設定する移動先設定手段をさらに備え、
前記制御手段は、前記停止キーの操作に応答して、前記再生手段がコンテンツを再生している場合は再生動作を停止させ、所定の条件を満たす場合には前記指示手段を、前記移動先設定手段で設定した階層に移動させることを特徴とする請求項１乃至４のいずれか１項に記載の再生装置。
【請求項６】
前記制御手段は、前記停止キーの操作に応答して、前記再生手段がコンテンツを再生している場合は再生動作を停止させ、所定の条件を満たす場合には、移動先の階層を選択させる画面を前記表示部に表示させて、前記指示手段を、選択された階層へ移動させることを特徴とする請求項１乃至４のいずれか１項に記載の再生装置。
【発明の詳細な説明】
【技術分野】
【０００１】
本発明は、デジタルコンテンツを記憶し、再生する再生装置に関する。
【背景技術】
【０００２】
近年、ＤＶＤ（Digital Versatile Disc）プレーヤの普及や、パーソナルコンピュータの進歩により、デジタルコンテンツを再生することが可能な再生装置が多種多様な形態で利用されるようになってきた。ここで、デジタルコンテンツとは、デジタルデータで表現された文章、音楽、画像、映像、データベース、またはそれらを組み合わせた情報の集合のことである。
【０００３】
また、近年の技術の進歩によって、ＨＤＤ（Hard Disk Drive）等に記憶可能な容量が増大し、再生装置において多くのデジタルコンテンツを記憶できるようになってきた。そのため、ユーザが多くのデジタルコンテンツの中から所望のコンテンツを選ぶ際、その操作が複雑になる。そこで、ユーザの使い勝手のよい再生装置が望まれる。
【０００４】
ユーザの使い勝手を向上させるために、コンテンツの再生中に、コンテンツ再生装置の記憶内容のリストを再生画面に重畳表示させて、該リストから切り替えて再生するコンテンツを選択することができる技術が開示されている（例えば、特許文献１）。
【０００５】
特許文献１の技術では、コンテンツの再生中に、リスト表示から別コンテンツの再生を選択することが可能であるが、またその操作が複雑になってしまう。
【特許文献１】特開２００５−５１５００号公報
【発明の開示】
【発明が解決しようとする課題】
【０００６】
本発明は、上記問題点に鑑みてなされたもので、再生するコンテンツを選択する際の操作性がよい再生装置を提供することを目的とする。
【課題を解決するための手段】
【０００７】
上記目的を達成するため、本発明の再生装置は、コンテンツを再生する再生手段と、複数のコンテンツを、その属性情報により分類したコンテンツの階層構造と、該階層構造内の位置を指示する指示手段と、を表示部に表示させる制御手段と、前記表示部に表示されている前記指示手段を移動させるための指示手段移動キーと、前記指示手段の示すコンテンツを前記再生手段で再生させるための再生キーと、停止キーと、を備える再生装置において、前記制御手段は、前記指示手段移動キーの操作に応答して、前記表示部に表示されている階層構造内で前記指示手段を移動させて、前記再生キーの操作に応答して、前記指示手段の位置に対応するコンテンツを前記再生手段で再生させて、前記停止キーの操作に応答して、前記再生手段がコンテンツを再生している場合は再生動作を停止させるとともに、前記再生動作の停止を行った前記停止キーの操作が所定の条件を満たす場合には前記指示手段を前記再生動作を停止したコンテンツより上位階層に移動させる、ことを特徴とする。
【０００９】
例えば、前記所定の条件は、前記停止キーが所定時間以上連続して押下されたこと、であってもよい。
【００１０】
例えば、前記所定の条件は、前記停止キーが所定時間内に所定回数連続して押下されたこと、であってもよい。
【００１１】
例えば、前記停止キーは、多段階の状態をもつキーであって、前記所定の条件は、前記停止キーが１段階押下された状態から更に１段階押下された状態になったこと、であってもよい。
【００１２】
例えば、移動先の階層を設定する移動先設定手段をさらに備え、前記制御手段は、前記停止キーの操作に応答して、前記再生手段がコンテンツを再生している場合は再生動作を停止させ、所定の条件を満たす場合には前記指示手段を、前記移動先設定手段で設定した階層に移動させてもよい。
【００１３】
例えば、前記制御手段は、前記停止キーの操作に応答して、前記再生手段がコンテンツを再生している場合は再生動作を停止させ、所定の条件を満たす場合には、移動先の階層を選択させる画面を前記表示部に表示させて、前記指示手段を、選択された階層へ移動させてもよい。
【発明の効果】
【００１４】
本発明によれば、停止キーの操作に応答してコンテンツの再生を停止させることと階層を移動させることとができるので、ユーザの操作性が向上する。
【発明を実施するための最良の形態】
【００１５】
以下、本発明の実施形態に係る再生装置２０について説明する。
（第１の実施形態）
本発明の実施形態に係る再生装置２０は、音楽コンテンツ・映像コンテンツ・静止画像コンテンツを複数記憶し、ユーザがリモートコントローラ３０により指定したコンテンツをＴＶ装置１０で再生する装置である。
【００１６】
再生装置２０は、図１に示すように、赤外線受信部２１と、ＲＯＭ（Read Only Memory）２２と、ＲＡＭ（Random Access Memory）２３と、ＣＰＵ（Central Processing Unit）２４と、記憶装置２５と、表示制御部２６と、から構成される。
【００１７】
赤外線受信部２１は、リモートコントローラ３０が送出する赤外線信号を受信する。
【００１８】
リモートコントローラ３０は、図２に示すように複数のキーで構成される。ユーザがこれらのキーを操作すると、操作に応じた赤外線信号を送出する。ユーザはリモートコントローラ３０を操作することで、所望のコンテンツを選択してＴＶ装置１０で再生することができる。
【００１９】
リモートコントローラ３０は、図２に示すように、ＰＯＷＥＲキーＫ１、ＰＩＣＴＵＲＥキーＫ２、ＶＩＤＥＯキーＫ３、ＭＵＳＩＣキーＫ４、方向キーＫ５、ＥＮＴＥＲキーＫ６、ＢＡＣＫキーＫ７、ＳＴＯＰキーＫ８、ＰＬＡＹキーＫ９等を備える。
【００２０】
ＰＯＷＥＲキーＫ１は、再生装置２０の電源を投下する信号をリモートコントローラ３０から送出するためのキーである。
【００２１】
ＰＩＣＴＵＲＥキーＫ２は、再生するコンテンツとして静止画像コンテンツを選択する信号をリモートコントローラ３０から送出するためのキーである。
【００２２】
ＶＩＤＥＯキーＫ３は、再生するコンテンツとして映像コンテンツを選択する信号をリモートコントローラ３０から送出するためのキーである。
【００２３】
ＭＵＳＩＣキーＫ４は、再生するコンテンツとして音楽コンテンツを選択する信号をリモートコントローラ３０から送出するためのキーである。
【００２４】
方向キーＫ５は、移動するフォルダや、再生するコンテンツを選択する、図４（ａ）に示す、カーソルＰを移動させる信号をリモートコントローラ３０から送出するためのキーである。
【００２５】
ＥＮＴＥＲキーＫ６は、移動するフォルダを決定する信号をリモートコントローラ３０から送出するためのキーである。
【００２６】
ＢＡＣＫキーＫ７は、階層を一段階上がる信号をリモートコントローラ３０から送出するためのキーである。
【００２７】
ＳＴＯＰキーＫ８は、コンテンツの再生、早送り、巻き戻し、又は、一時停止を停止させる信号をリモートコントローラ３０から送出するためのキーである。
【００２８】
ＰＬＡＹキーＫ９は、再生するコンテンツを決定する信号をリモートコントローラ３０から送出するためのキーである。
【００２９】
ＭＥＮＵキーＫ１０は、再生装置２０の各種設定をする画面を表示するためのキーである。
【００３０】
ＲＯＭ２２は、ＣＰＵ２４の動作を制御するためのプログラムを記憶する。
【００３１】
ＲＡＭ２３は、ＣＰＵ２４のワークエリアとして機能する。
【００３２】
記憶装置２５は、音楽コンテンツ・映像コンテンツ・静止画像コンテンツを複数記憶する。
また、記憶装置２５に記憶するコンテンツは、外部から追加することもでき、さらに外部よりネットワークを通じて受信して再生することも可能である。
【００３３】
表示制御部２６は、ＣＰＵ２４の制御のもと、記憶装置２５に記憶されたコンテンツを、図３に示すように、コンテンツ種別、ジャンル、アーティスト名、アルバム名といった属性情報で分類したフォルダによる階層構造を生成する。
表示制御部２６は、図４（ａ）に示すように、その階層構造での現在のフォルダ（カレントフォルダ）の直下にあるフォルダの一覧と、移動先を選択するためのカーソルＰをＴＶ装置１０に表示させる。
【００３４】
また、表示制御部２６は、ＣＰＵ２４の制御のもと、記憶装置２５に記憶された各コンテンツをＴＶ装置１０で再生できるデータに変換する。そして、変換したデータをＴＶ装置１０に出力する。音楽コンテンツを再生する際の画面の例を図４（ｂ）に示す。
【００３５】
ＣＰＵ２４は、リモートコントローラ３０から受信した赤外線信号に対応した操作情報を赤外線受信部２１から受け取り、該操作情報に応じた動作を実行する。
例えば、方向キーＫ５やＥＮＴＥＲキーＫ６の押下によって、フォルダの階層を移動する操作情報を受け取った場合は、ＣＰＵ２４は、表示制御部２６を制御して、移動先の階層を表示させる。
また、ＰＬＡＹキーＫ９の押下によって、コンテンツを再生する操作情報を受け取ると、ＣＰＵ２４は、表示制御部２６を制御し、ＴＶ装置１０によって該コンテンツを再生させる。
直下にコンテンツが存在するフォルダ（図３の例では、アルバムフォルダ）がカーソルＰにより選択されているときに、コンテンツを再生する操作情報を受け取ると、該フォルダ内の全てのコンテンツを順次再生させる。本実施形態では、順次再生すると共に、再生中のコンテンツの階層に移動させる。
【００３６】
また、ＣＰＵ２４は、ＳＴＯＰキーＫ８の押下によって、再生を停止させる操作情報を受け取った場合、後述の動作を実行する。
【００３７】
次に、上記構成の再生装置２０の動作について図面を参照しながら説明する。
【００３８】
先ず、音楽コンテンツを再生するまでの動作を、図５に示す具体例を用いて説明する。
【００３９】
ユーザが、リモートコントローラ３０を再生装置２０に向けてＰＯＷＥＲキーＫ１を押下すると、赤外線受信部２１が電源投下信号を受信し（ステップＳ１）、再生装置２０の電源が投下される（ステップＳ２）。
【００４０】
続いて、ユーザが再生する音楽コンテンツを選択するためにＭＵＳＩＣキーＫ４を押下すると、赤外線受信部２１が音楽コンテンツを選択する信号を受信する（ステップＳ３）。そして、赤外線受信部２１は、該信号をＣＰＵ２４に送出する（ステップＳ４）。ＣＰＵ２４は、記憶装置２５を参照し（ステップＳ５）、ＭＵＳＩＣフォルダの記憶情報を取得する（ステップＳ６）。そして、該記憶情報を表示制御部２６に送出し（ステップＳ７）、ＴＶ装置１０にＭＵＳＩＣフォルダ内の記憶情報（フォルダ一覧）を表示させる（ステップＳ８）。
図３に示す例の記憶情報である場合は、ジャンル１〜３のフォルダが表示される。
【００４１】
次に、ユーザがリモートコントローラ３０の方向キーＫ５を操作して、所望のジャンルのフォルダを選択する。赤外線受信部２１は、方向キーＫ５が操作された信号を受信すると（ステップＳ９）、該信号をＣＰＵ２４に送出する（ステップＳ１０）。そして、ＣＰＵ２４は、カーソルＰを移動させる指示を表示制御部２６に送出する（ステップＳ１１）。表示制御部２６は、ＴＶ装置１０に表示するカーソルＰを移動させる（ステップＳ１２）。
【００４２】
次に、ユーザがリモートコントローラ３０のＥＮＴＥＲキーＫ６を操作して、所望のジャンルのフォルダを選択する。赤外線受信部２１は、ＥＮＴＥＲキーＫ６が操作された信号を受信すると（ステップＳ１３）、該信号をＣＰＵ２４に送出する（ステップＳ１４）。そして、ＣＰＵ２４は、階層を移動させる指示を表示制御部２６に送出する（ステップＳ１５）。表示制御部２６は、ＴＶ装置１０に表示する階層を、カーソルＰが指す下の階層に移動させる（ステップＳ１６）。
【００４３】
ユーザは、方向キーＫ５とＥＮＴＥＲキーＫ６との操作を繰り返すことで、所望のアルバムフォルダを選択することができる。
【００４４】
所望のアルバムフォルダまでたどり着くと、ユーザは該アルバムフォルダの楽曲を再生するため、ＰＬＡＹキーＫ９を押下する。赤外線受信部２１、ＰＬＡＹキーＫ９の操作信号を受信すると（ステップＳ１７）、該信号をＣＰＵ２４に送出する（ステップＳ１８）。そして、ＣＰＵ２４は、カーソルＰが指すアルバムフォルダ内の楽曲データを再生させる指示を表示制御部２６に送出する（ステップＳ１９）。表示制御部２６は、指示された楽曲データを記憶装置２５から取得し（ステップＳ２０）、取得した楽曲データをＴＶ装置１０で再生させる（ステップＳ２１）。このとき、階層も下へ移動する。
【００４５】
上記のようにして、ユーザは所望のコンテンツを再生することができる。
【００４６】
次に、コンテンツ再生中に、ＳＴＯＰキーＫ８が押下された場合の動作を説明する。
【００４７】
コンテンツ再生中に、再生装置２０は、定期的な（例えば、３ミリ秒ごと）割り込み処理により図６に示すＳＴＯＰキー検出処理を実行する。
【００４８】
ＳＴＯＰキー検出処理では、先ず、ＣＰＵ２４は、ＳＴＯＰキーＫ８が押下されたか否かを判別する（ステップＳ３１）。
【００４９】
ＳＴＯＰキーＫ８が押下されていない場合（ステップＳ３１；Ｎｏ）、処理を終了する。
【００５０】
ＳＴＯＰキーＫ８が押下されている場合（ステップＳ３１；Ｙｅｓ）、次に、ＣＰＵ２４は、現在のカーソルＰの位置するフォルダがコンテンツの階層か否かを判別する（ステップＳ３２）。
【００５１】
現在のカーソルＰの位置するフォルダが、コンテンツの階層でない場合（ステップＳ３２；Ｎｏ）、処理を終了する。
【００５２】
現在のカーソルＰの位置するフォルダが、コンテンツの階層である場合（ステップＳ３２；Ｙｅｓ）、ＣＰＵ２４は、コンテンツを再生中であるか否かを判別する（ステップＳ３３）。
【００５３】
ＣＰＵ２４は、コンテンツを再生中であると判別すると（ステップＳ３３；Ｙｅｓ）、コンテンツの再生を停止させる（ステップＳ３４）。
【００５４】
一方、コンテンツを再生していない場合（ステップＳ３３；Ｎｏ）、ＣＰＵ２４は、カーソルＰを１つ上の階層へ移動させる（ステップＳ３５）。
【００５５】
以上でＳＴＯＰキー検出処理を終了する。
【００５６】
以下、音楽コンテンツの再生中にＳＴＯＰキーＫ８が２回押下された場合の具体例について説明する。
【００５７】
割り込み処理により、ＳＴＯＰキー検出処理が開始すると、ＣＰＵ２４は、ＳＴＯＰキーＫ８の押下を判別する（ステップＳ３１；Ｙｅｓ）。
【００５８】
次に、現在のカーソルＰの位置する階層は楽曲の階層であるので、ＣＰＵ２４は、コンテンツの階層であると判別する（ステップＳ３２；Ｙｅｓ）。
【００５９】
そして、現在音楽コンテンツの再生中であるので（ステップＳ３３；Ｙｅｓ）、ＣＰＵ２４は、音楽コンテンツの再生を停止させる（ステップＳ３４）。
【００６０】
さらに、タイマ割り込み処理により、検出処理が開始すると、ＣＰＵ２４は、２回目のＳＴＯＰキーＫ８の押下を判別する（ステップＳ３１；Ｙｅｓ）。
【００６１】
現在のカーソルＰの位置する階層はコンテンツの階層であり（ステップＳ３２；Ｙｅｓ）、音楽コンテンツの再生は停止しているので（ステップＳ３３；Ｎｏ）、ＣＰＵ２４は、カーソルＰを１つ上の階層へ移動させる（ステップＳ３５）。
【００６２】
以上のように、単一のキー（ＳＴＯＰキーＫ８）の押下のみで、再生中の音楽コンテンツを停止させ、カーソルＰを一つ上の階層へ移動することができる。これにより、複雑な操作をユーザに要求することなく、ユーザの利便性が向上する。
【００６３】
なお、この発明は上記実施の形態に限定されず、種々の変形及び応用が可能である。
【００６４】
（第２の実施形態）
例えば、第１の実施形態では、２回ＳＴＯＰキーＫ８を押下することで、カーソルＰを一つ上の階層へ移動するようにしていたが、ＳＴＯＰキーＫ８を長押しすることで、一つ上の階層へ移動するようにしてもよい。
その動作の例を図７のフローチャートを用いて説明する。
【００６５】
ＣＰＵ２４は、定期的な割り込み処理により図７のＳＴＯＰキー検出処理を開始する。
【００６６】
先ず、ＣＰＵ２４は、ＳＴＯＰキーＫ８が押下されたか否かを判別する（ステップＳ４１）。
【００６７】
ＳＴＯＰキーＫ８の押下されていない場合（ステップＳ４１；Ｎｏ）、処理を終了する。
【００６８】
一方、ＳＴＯＰキーＫ８が押下されている場合（ステップＳ４１；Ｙｅｓ）、現在のカーソルＰの位置するフォルダがコンテンツの階層か否かを判別する（ステップＳ４２）。
【００６９】
現在のカーソルＰの位置するフォルダが、コンテンツの階層でない場合（ステップＳ４２；Ｎｏ）、処理を終了する。
【００７０】
現在のカーソルＰの位置するフォルダが、コンテンツの階層である場合（ステップＳ４２；Ｙｅｓ）、ＣＰＵ２４は、ＳＴＯＰキーＫ８を押し続ける時間の計測を始める（ステップＳ４３）。
【００７１】
次に、ＣＰＵ２４は、コンテンツが再生中であるか否かを判別する（ステップＳ４４）。
【００７２】
コンテンツが再生中である場合（ステップＳ４４；Ｙｅｓ）、コンテンツの再生を停止させる（ステップＳ４５）。
【００７３】
コンテンツを再生中でない場合（ステップＳ４４；Ｎｏ）、もしくはステップＳ４５でコンテンツの再生を停止させた場合、ＳＴＯＰキーＫ８が依然押し続けられているか否かを判別する（ステップＳ４６）。
【００７４】
ＳＴＯＰキーＫ８が押し続けられていない場合（ステップＳ４６；Ｎｏ）、検出処理を終了する。
【００７５】
ＳＴＯＰキーＫ８が押し続けられている場合（ステップＳ４６；Ｙｅｓ）、押し続けられている時間が１秒以上であるか否かを判別する（ステップＳ４７）。
【００７６】
押し続けられている時間が１秒未満の場合（ステップＳ４７；Ｎｏ）、再びＳＴＯＰキーＫ８が押し続けられている時間を判定するため、ステップＳ４６に処理を戻す。
【００７７】
押し続けられている時間が１秒以上の場合（ステップＳ４７；Ｙｅｓ）、ＣＰＵ２４は、カーソルＰを１つ上の階層へ移動させる（ステップＳ４８）。
【００７８】
以上で、ＳＴＯＰキー検出処理を終了する。本実施例では、１秒間ＳＴＯＰキーＫ８を押し続けることで、カーソルＰをコンテンツの階層から一つ上の階層に移動させることができる。この場合も、コンテンツの再生の停止と階層の移動とを単一のキー操作で済むのでユーザの利便性が向上する。
【００７９】
（第３の実施形態）
また、ダブルクリックの要領で、所定時間内に２回ＳＴＯＰキーＫ８を押下することで、カーソルＰを一つ上の階層へ移動するようにしてもよい。
その動作の例を図８のフローチャートを用いて説明する。
【００８０】
ＣＰＵ２４は、定期的な割り込み処理により図８のＳＴＯＰキー検出処理を開始する。
【００８１】
先ず、ＣＰＵ２４は、ＳＴＯＰキーＫ８が押下されたか否かを判別する（ステップＳ５１）。
【００８２】
ＳＴＯＰキーＫ８の押下されていない場合（ステップＳ５１；Ｎｏ）、処理を終了する。
【００８３】
一方、ＳＴＯＰキーＫ８が押下されている場合（ステップＳ５１；Ｙｅｓ）、現在のカーソルＰの位置するフォルダが、コンテンツの階層か否かを判別する（ステップＳ５２）。
【００８４】
現在のカーソルＰの位置するフォルダが、コンテンツの階層でない場合（ステップＳ５２；Ｎｏ）、処理を終了する。
【００８５】
現在のカーソルＰの位置するフォルダが、コンテンツの階層である場合（ステップＳ５２；Ｙｅｓ）、ＣＰＵ２４は、ＳＴＯＰキーＫ８の押下からの時間の計測を始める（ステップＳ５３）。
【００８６】
次に、ＣＰＵ２４は、コンテンツが再生中であるか否かを判別する（ステップＳ５４）。
【００８７】
コンテンツが再生中である場合（ステップＳ５４；Ｙｅｓ）、コンテンツの再生を停止させる（ステップＳ５５）。
【００８８】
コンテンツを再生中でない場合（ステップＳ５４；Ｎｏ）、もしくはステップＳ５５でコンテンツの再生を停止させると、再びＳＴＯＰキーＫ８が押下されたか否かを判別する（ステップＳ５６）。
【００８９】
ＳＴＯＰキーＫ８が再び押下された場合（ステップＳ５６；Ｙｅｓ）、ダブルクリックが行われたので、ＣＰＵ２４は、カーソルＰを１つ上の階層へ移動させる（ステップＳ５８）。
【００９０】
ＳＴＯＰキーＫ８が再び押下されていない場合（ステップＳ５６；Ｎｏ）、ステップＳ５３で計測を始めた最初のＳＴＯＰキーＫ８の押下からの時間が０．５秒以上であるか否かを判別する（ステップＳ５７）。
【００９１】
なお、０．５秒はダブルクリックの判定時間である。この判定時間は、所定の範囲内で任意に設定可能とする。
【００９２】
最初のＳＴＯＰキーＫ８の押下からの時間が０．５秒未満の場合（ステップＳ５７；Ｎｏ）、ダブルクリック判定時間内で再びＳＴＯＰキーＫ８の押下を判別するため、ステップＳ５６に処理を戻す。
【００９３】
押下からの時間が０．５秒以上の場合（ステップＳ５７；Ｙｅｓ）、ダブルクリックは行われなかったので処理を終了する。
【００９４】
以上で、ＳＴＯＰキー検出処理を終了する。本実施例では、０．５秒間にＳＴＯＰキーＫ８を２回押下（ダブルクリック）することで、カーソルＰをコンテンツの階層から一つ上の階層に移動させることができる。この場合も、コンテンツの再生の停止と階層の移動とを単一のキー操作で済むのでユーザの利便性が向上する。
【００９５】
また、上記第１〜３の実施形態では、ＳＴＯＰキーＫ８の所定の操作でカーソルＰを一つ上の階層に移動させていたが、ユーザの利便性が向上すればこれに限るものではない。
【００９６】
例えば、ＭＥＮＵキーＫ１０を操作することで、ＳＴＯＰキーＫ８の操作でカーソルＰの移動先の階層を事前に設定できるようにしてもよい。設定の際には、図９（ａ）のような画面を表示制御部２６に出力させる。そして、ユーザがリモートコントローラ３０の方向キーＫ５やＥＮＴＥＲキーＫ６を操作することで、移動先の階層を設定できるようにする。設定の種別は、一つ上の階層に移動する設定のほか、二つ上の階層に移動する設定、最上階層に移動する設定、その都度移動先を選択する設定、移動しない設定等である。
【００９７】
その都度移動先を選択する設定では、ＳＴＯＰキーＫ８の操作でカーソルＰの示す階層を移動する際、例えば、図９（ｂ）に示すような移動先階層選択画面を表示制御部２６に出力させる。そして、ユーザがリモートコントローラ３０の方向キーＫ５でカーソルＰを移動させて、ＥＮＴＥＲキーＫ６により移動先を決定するようにしてもよい。
【００９８】
（第４の実施形態）
また、ＳＴＯＰキーＫ８を浅押しと深押しとの２段階の状態を持つ２段キーで構成して、ＳＴＯＰキーＫ８の押下の段階によって動作を変えるようにしてもよい。
その動作の例を図１０のフローチャートを用いて説明する。
【００９９】
ＣＰＵ２４は、定期的な割り込み処理により図１０のＳＴＯＰキー検出処理を開始する。
【０１００】
先ず、ＣＰＵ２４は、ＳＴＯＰキーＫ８の１段階目が押下されたか否かを判別する（ステップＳ６１）。
【０１０１】
ＳＴＯＰキーＫ８の１段階目が押下されていない場合（ステップＳ６１；Ｎｏ）、処理を終了する。
【０１０２】
ＳＴＯＰキーＫ８の１段階目が押下されている場合（ステップＳ６１；Ｙｅｓ）、現在のカーソルＰの位置するフォルダが、コンテンツの階層であるか否かを判別する（ステップＳ６２）。
【０１０３】
現在のカーソルＰの位置するフォルダが、コンテンツの階層でない場合（ステップＳ６２；Ｎｏ）、処理を終了する。
【０１０４】
現在のカーソルＰの位置するフォルダが、コンテンツの階層である場合（ステップＳ６２；Ｙｅｓ）、ＣＰＵ２４は、コンテンツを再生中であるか否かを判別する（ステップＳ６３）。
【０１０５】
コンテンツを再生中である場合（ステップＳ６３；Ｙｅｓ）、コンテンツの再生を停止させる（ステップＳ６４）。
【０１０６】
コンテンツを再生中でない場合（ステップＳ６３；Ｎｏ）、またはステップＳ６４で再生を停止させると、ＣＰＵ２４は、ＳＴＯＰキーＫ８の２段階目が押下されたか否かを判別する（ステップＳ６５）。
【０１０７】
ＳＴＯＰキーＫ８の２段階目が押下されている場合（ステップＳ６５；Ｙｅｓ）、カーソルＰを１つ上の階層へ移動させる（ステップＳ６６）。
【０１０８】
ステップＳ６６が終了すると、または、ＳＴＯＰキーＫ８の２段階目が押下されていない場合（ステップＳ６５；Ｎｏ）、処理を終了する。
【０１０９】
以上でＳＴＯＰキー検出処理を終了する。即ち、コンテンツ再生中は、ＳＴＯＰキーＫ８を１段階押下で再生を停止させ、２段階押下でカーソルＰを一つ上の階層へ移動させる。また、コンテンツ非再生中は、２段階押下でカーソルＰを１つ上の階層へ移動させることができる。
【０１１０】
本実施形態では、ＳＴＯＰキーＫ８を２段階のキーで構成して、単一のキー（ＳＴＯＰキーＫ８）を押下する段階ごとに、異なる動作を実行可能としており、ユーザの利便性が向上する。
【０１１１】
また、上記実施形態では、記憶装置２５に、複数のコンテンツを記憶していたが、図１１に示すように、通信部２７によりインターネット４０に接続し、インターネットを介して外部から複数のコンテンツを受信するようにしてもよい。
【０１１２】
また、上記実施形態では、ＣＰＵ２４が実行するプログラムは、ＲＯＭ２２に記憶されていたが、任意の記憶媒体に予め記憶したり、ネットワークを介して任意の記憶媒体に記憶するようにしてもよい。
【図面の簡単な説明】
【０１１３】
【図１】本発明の実施形態に係る再生装置の構成を説明するためのブロック図である。
【図２】リモートコントローラの例を示す図である。
【図３】記憶装置の階層構造の例を示す図である。
【図４】ＴＶ装置の表示の例を示す図で（ａ）は、フォルダを表示する例であって、（ｂ）は、音楽コンテンツ再生中の表示の例である。
【図５】コンテンツ再生までの動作の具体例を示す図である。
【図６】ＳＴＯＰキー検出処理の動作を説明するためのフローチャートである。
【図７】ＳＴＯＰキー検出処理の第２の実施形態の動作を説明するためのフローチャートである。
【図８】ＳＴＯＰキー検出処理の第３の実施形態の動作を説明するためのフローチャートである。
【図９】変形例でのＴＶ装置の表示の例を示す図で（ａ）は、ＳＴＯＰキーによる移動先階層設定画面の例であって、（ｂ）は、移動先階層選択画面の例である。
【図１０】ＳＴＯＰキー検出処理の第４の実施形態の動作を説明するためのフローチャートである。
【図１１】再生装置の変形例の構成を示すブロック図である。
【符号の説明】
【０１１４】
１０  ＴＶ装置
２０  再生装置
２１  赤外線受信部
２２  ＲＯＭ
２３  ＲＡＭ
２４  ＣＰＵ
２５  記憶装置
２６  表示制御部
２７  通信部
３０  リモートコントローラ
４０  インターネット
【図１】
0004779695.tif 000002
【図２】
0004779695.tif 000003
【図３】
0004779695.tif 000004
【図４】
0004779695.tif 000005
【図５】
0004779695.tif 000006
【図６】
0004779695.tif 000007
【図７】
0004779695.tif 000008
【図８】
0004779695.tif 000009
【図９】
0004779695.tif 000010
【図１０】
0004779695.tif 000011
【図１１】
0004779695.tif 000012